(57)【要約】【課題】不正器具を用いてメダルの投入を不正に行うゴト行為をより確実に防止する。【解決手段】スロットマシンのメダルセレクタ３４には、メダル２９が流下する第１メダル通路４４が形成されている。第１メダル通路４４には、メダル２９の流下を阻止する阻止位置と、メダル２９の流下を許容する退避位置との間で移動する通路シャッタ４２が設けられている。通路シャッタ４２の側面４２ａには、流下が阻止されたメダル２９を検知する接触センサ４８がある。通路シャッタ４２の先端面４２ｂには、通路シャッタ４２よりも下流側に流下するメダル２９を検知するメダル検知部がある。通路シャッタ４２は、通常、阻止位置にある。接触センサ４８がメダル２９を検知すると、通路シャッタ４２が退避位置に移動する。メダル検知部がメダルの流下を検知すると、通路シャッタ４２が阻止位置に復帰する。【選択図】図３
2010207426.tif 000002
【特許請求の範囲】
【請求項１】
メダルが流下するメダル通路と、
前記メダル通路内に進入してメダルの流下を阻止する阻止位置と、前記メダル通路から退避してメダルの流下を許容する退避位置との間で移動する移動部材と、
前記阻止位置にある前記移動部材によって流下が阻止されたメダルを検知する第１検知手段と、
前記移動部材の先端に設けられ、前記移動部材が前記退避位置にある際に、前記移動部材よりも下流側に流下するメダルを検知する第２検知手段と、
前記第２検知手段の検知に基づいて、投入されたメダルの枚数を計数する計数制御手段と、
前記移動部材を前記阻止位置にさせ、前記第１検知手段の検知に応答して前記移動部材を前記退避位置に移動させるとともに、前記第２検知手段の検知に応答して前記移動部材を前記阻止位置に復帰させるように前記移動部材を駆動する駆動制御手段とを備えたことを特徴とするメダル計数装置。
【請求項２】
前記第２検知手段は、前記メダル通路を挟んで反対側に配置された反射板に向けてメダルを検知するための検知光を照射し、前記反射板で反射した前記検知光を受光部に入射させることにより、反射型の光学センサを構成する発光部であり、
前記移動部材が前記退避位置にある場合にのみ前記受光部が前記検知光を受光可能となるように、前記受光部と前記反射板とを配置したことを特徴とする請求項１記載のメダル計数装置。
【請求項３】
前記計数制御手段は、前記移動手段が前記阻止位置にある場合、前記第２検知手段の検知を無効にすることを特徴とする請求項１又は２記載のメダル計数装置。
【請求項４】
前記移動部材が前記退避位置に移動してから前記第２検知手段がメダルの流下を検知するまでの時間を計時する計時手段と、
前記計時手段の計時結果が所定の範囲から外れた場合に不正が行われたと判定する不正判定手段とを備えたことを特徴とする請求項１から３のいずれか１項に記載のメダル計数装置。
【請求項５】
前記メダル通路は、略Ｌ字型に屈曲しており、
前記移動部材と前記第１検知手段と前記第２検知手段とは、前記メダル通路の屈曲部よりも下流側に配置されていることを特徴とする請求項１から４のいずれか１項に記載のメダル計数装置。
【発明の詳細な説明】
【技術分野】
【０００１】
本発明は、メダルの枚数を計数するメダル計数装置に関する。
【背景技術】
【０００２】
パチンコ店などの遊技場に設置して使用されるスロットマシンが知られている。スロットマシンでは、一般的にメダル投入口から１〜３枚のメダルを投入して遊技が行われる。スロットマシン内には、投入されたメダルの枚数を計数する光学センサが設けられている。計数されたメダルは、ベットされるか、予め設定された枚数（例えば５０枚）を限度にクレジットされる。
【０００３】
ところで、スロットマシンでは、正規の方法とは異なる方法によってメダルの投入を行う、いわゆる、ゴト行為が問題となっている。こうしたゴト行為には、メダル投入口に挿入可能な板状の部材の先端に複数のＬＥＤを直列に配置した器具（以下、不正器具と称す）が用いられる。不正器具を用いてゴト行為を行う場合には、まず不正器具をメダル投入口から挿入して光学センサの下方に位置させた後、上方に移動させて光学センサの受光部にＬＥＤを対面させる。そして、所定のタイミングで各ＬＥＤを点滅させ、各ＬＥＤの光を受光部に入射させる。これにより、光学センサにメダルが通過したことを誤って検知させることができ、実際にメダル投入口にメダルを投入することなくメダルのベット及びクレジットを行うことができるようになる。
【０００４】
このようなゴト行為は、遊技場の利益を損なわせるばかりか、適正に遊技を行おうとする遊技者の遊技への興味を失わせてしまうことにも繋がりかねない。このため、上記のような不正器具を用いたゴト行為を防止する対策が、従来より種々提案されている。
【０００５】
例えば、引用文献１には、メダルの流下にともなうメダル通路の振動を検知する感震センサを光学センサとは別に設け、各センサの検知順序や検知間隔を確認し、適正にメダルが流下した場合と異なる順序、間隔が検知された場合に、不正器具が使用されたと判定する遊技機が記載されている。また、引用文献２には、２つの光学センサをメダルの流下方向に並べて設け、これら２つの光学センサでメダルの投入間隔や通過速度を検知し、この検知結果を基準と比較することで不正器具の使用を判定する遊技機が記載されている。
【先行技術文献】
【特許文献】
【０００６】
【特許文献１】特開２００５−２８７９４３号公報
【特許文献２】特開２００５−３１２８２０号公報
【発明の概要】
【発明が解決しようとする課題】
【０００７】
しかしながら、引用文献１の構成では、不正器具を揺すって感震センサに振動を与えることで適正と判定されてしまう場合があり、不正器具の対策として必ずしも十分なものではなかった。また、引用文献２の構成では、適正と判定されるタイミングで各光学センサの受光部に光を入射させる不正器具を検知することができず、やはり不正器具の対策として必ずしも十分なものではなかった。近年、ゴト行為に用いられる不正器具は、スロットマシンの機種毎にＬＥＤの配置や点滅のタイミングを変化させるなど、スロットマシン側の対策に合わせて益々性能を向上させてきており、より確実にゴト行為を防止できる対策が望まれていた。
【０００８】
本発明は、上記課題を鑑みてなされたものであって、不正器具を用いてメダルの投入を不正に行うゴト行為をより確実に防止することを目的とする。
【課題を解決するための手段】
【０００９】
上記目的を達成するため、本発明のメダル計数装置は、メダルが流下するメダル通路と、前記メダル通路内に進入してメダルの流下を阻止する阻止位置と、前記メダル通路から退避してメダルの流下を許容する退避位置との間で移動する移動部材と、前記阻止位置にある前記移動部材によって流下が阻止されたメダルを検知する第１検知手段と、前記移動部材の先端に設けられ、前記移動部材が前記退避位置にある際に、前記移動部材よりも下流側に流下するメダルを検知する第２検知手段と、前記第２検知手段の検知に基づいて、投入されたメダルの枚数を計数する計数制御手段と、前記移動部材を前記阻止位置にさせ、前記第１検知手段の検知に応答して前記移動部材を前記退避位置に移動させるとともに、前記第２検知手段の検知に応答して前記移動部材を前記阻止位置に復帰させるように前記移動部材を駆動する駆動制御手段とを備えたことを特徴とする。
【００１０】
前記第２検知手段を、前記メダル通路を挟んで反対側に配置された反射板に向けてメダルを検知するための検知光を照射し、前記反射板で反射した前記検知光を受光部に入射させることにより、反射型の光学センサを構成する発光部とし、前記移動部材が前記退避位置にある場合にのみ前記受光部が前記検知光を受光可能となるように、前記受光部と前記反射板とを配置することが好ましい。
【００１１】
前記計数制御手段は、前記移動手段が前記阻止位置にある場合、前記第２検知手段の検知を無効にすることが好ましい。
【００１２】
前記移動部材が前記退避位置に移動してから前記第２検知手段がメダルの流下を検知するまでの時間を計時する計時手段と、前記計時手段の計時結果が所定の範囲から外れた場合に不正が行われたと判定する不正判定手段とを設けると、より好適である。
【００１３】
前記メダル通路を、略Ｌ字型に屈曲させ、前記移動部材と前記第１検知手段と前記第２検知手段とを、前記メダル通路の屈曲部よりも下流側に配置することが好ましい。
【発明の効果】
【００１４】
本発明では、移動部材を阻止位置にさせ、第１検知手段の検知に応答して移動部材を退避位置に移動させるとともに、第２検知手段の検知に応答して移動部材を阻止位置に復帰させるようにした。メダル通路にメダルを投入すると、阻止位置にある移動部材によって一度流下が阻止され、阻止されたメダルが第１検知手段によって検知される。この検知に応答して移動部材が退避位置に移動し、再び流下を始めたメダルが第２検知手段によって検知される。これにより、投入されたメダルが計数される。また、第２検知手段がメダルを検知すると、移動部材が阻止位置に復帰し、次に投入されたメダルは、再び移動部材によって流下が阻止される。このように、本発明のメダル計数装置は、１枚ずつ移動部材を通過させるようにして投入されたメダルの計数を行う。
【００１５】
一方、メダル通路に不正器具を挿入した場合には、第２検知手段の検知に応答して移動部材が阻止位置に復帰した際に、移動部材と、この移動部材と対面する壁面との間に不正器具が挟まって、不正器具がメダル通路から引き抜けなくなる。このため、本発明のメダル計数装置に対して不正器具を用いるためには、第２検知手段が検知した後、移動部材が阻止位置に復帰する前に不正器具を引き抜く必要があるが、手探りで第２検知手段との位置合わせを行いつつ、第２検知手段が検知したら即座に引き抜くことは、極めて困難であり、抜き差しを繰り返しながらメダルのベット及びクレジットを行うことは、実質的に不可能である。また、このように抜き差しを繰り返す行動は非常に目立つため、従業員などに発見されやすくなる。このように、本発明によれば、不正器具を用いて不正にメダルを投入するゴト行為を行うのが極めて困難になるとともに、従業員などに発見されやすくなるため、ゴト行為を行おうとする意欲を減退させ、不正器具を用いたゴト行為をより確実に防止することができる。
【００１６】
反射型の光学センサを構成する発光部を第２検知手段とし、移動部材が退避位置にある場合にのみ受光部が検知光を受光可能となるように受光部と反射板とを配置すれば、移動部材と、この移動部材と対向する壁面との間に不正器具が挟まった際に、反射型の光学センサを構成する受光部と不正器具の発光部とが偶然に対面して不正にメダルの計数が行われてしまうことを防ぐことができる。
【００１７】
移動部材が阻止位置にある状態で第２検知手段がメダルを検知することはありえない。そこで、移動手段が阻止位置にある場合には、第２検知手段の検知を無効にするようにすれば、移動手段に挟まった不正器具によって不正にメダルが投入されることを確実に防止することができる。
【００１８】
阻止位置にある移動部材によって一度流下が阻止されたメダルが再び流下を開始してから第２検知手段によって検知されるまでの時間は、ほぼ一定である。これに対し、不正器具を用いた場合には、移動部材が退避位置に移動してから手動で不正器具の位置を調整する必要があるため、第２検知手段に検知されるまでの時間がまちまちになる。そこで、移動部材が退避位置に移動してから第２検知手段がメダルの流下を検知するまでの時間を計時し、この計時結果が所定の範囲から外れた場合には、不正器具を用いた不正が行われたと判定することができる。ここで、所定の範囲とは、例えば、移動部材が退避位置に移動してから第２検知手段が検知するまでの平均時間に正負の誤差を加えた範囲である。
【００１９】
メダル通路を略Ｌ字型に屈曲させ、移動部材と第１検知手段と第２検知手段とを、メダル通路の屈曲部よりも下流側に配置すれば、不正器具が挟まってメダル通路から引き抜けなくなる効果を高めることができる。
【図面の簡単な説明】
【００２０】
【図１】スロットマシンの外観を示す斜視図である。
【図２】スロットマシンの内部を示す斜視図である。
【図３】メダルセレクタの構成を示す斜視図である。
【図４】通路シャッタが阻止位置にある状態を示す説明図である。
【図５】通路シャッタが退避位置にある状態を示す説明図である。
【図６】第１、第２メダル検知部の構成を示す説明図である。
【図７】スロットマシンの電気的構成を概略的に示すブロック図である。
【図８】不正器具が挟まった状態を示す説明図である。
【図９】角棒状に形成した通路シャッタを示す斜視図である。
【発明を実施するための形態】
【００２１】
図１に示すように、スロットマシン（メダル計数装置）１０は、略開口箱状に形成された筐体１０ａを備えている。筐体１０ａの前面には、表示窓１１ａが設けられた前面扉１１が設けられている。表示窓１１ａの奥には、第１〜第３リール１２ａ〜１２ｃが回転自在に組み込まれたリールユニット２６（図２参照）が設けられている。表示窓１１ａの下方には、ＭＡＸベットボタン１５、１ベットボタン１６、第１〜第３ストップボタン１７ａ〜１７ｃ、スタートレバー１８、精算ボタン１９などの各種の操作部材、及びメダル２９（図２参照）を投入するためのメダル投入口２０が設けられている。なお、上記各操作部材の機能については周知であるため、説明を省略する。前面扉１１の下部には、メダル２９の払い出しを行うためのメダル払出口２２と、このメダル払出口２２から払い出されたメダル２９を受けるメダル受け皿２３と、遊技中に音楽や音声を発するスピーカ２４とが設けられている。
【００２２】
第１〜第３リール１２ａ〜１２ｃの外周には、複数種類の図柄が一定ピッチで配列されている。表示窓１１ａは、第１〜第３リール１２ａ〜１２ｃが停止した状態で、１リール当たり３個の図柄が観察可能となるように構成されている。これにより、第１〜第３リール１２ａ〜１２ｃの図柄を１個ずつ組み合わせた直線状の入賞有効ラインが横３本、斜め２本の合計５本が設定される。遊技開始に先立ってメダル投入口２０から１枚のメダル２９を投入したときには、中央横１本の入賞有効ラインが有効化され、２枚では横３本、３枚ではさらに斜め２本を加えた５本の入賞有効ラインが有効化される。
【００２３】
スロットマシン１０では、５０枚を限度に適正なメダル２９をクレジット（貯留）することが可能になっている。表示窓１１ａの下方には、貯留したメダル２９の枚数を表示するクレジット枚数表示部１３が設けられている。クレジットされるメダル２９の最大枚数は５０枚であるから、クレジット枚数表示部１３は、０〜５０の数値が表示可能に構成されている。
【００２４】
スロットマシン１０は、機械動作や遊技動作などに異常を検知した場合、遊技不能な状態にするとともに、検知した異常を報知するエラーモードになる。クレジット枚数表示部１３の側方には、異常の種類に応じたエラーコードを表示するためのエラー表示部１４が設けられている。スロットマシン１０は、エラーモードになると、スピーカ２４から警告音を発し、遊技者や遊技場の従業員に異常を検知したことを報知するとともに、検知した異常の種類に応じたエラーコードをエラー表示部１４に表示させ、その異常の種類を報知する。
【００２５】
図２に示すように、筐体１０ａの内部には、制御基板２５、リールユニット２６、電源ボックス２７、貯留タンク２８などが設けられている。制御基板２５は、スロットマシン１０の各部を統括的に制御する。制御基板２５は、透明なプラスチックで形成された基板ケースに封入されて開放不能となっている。これにより、制御基板２５に不正な改造が施されることを防止している。
【００２６】
リールユニット２６は、第１〜第３リール１２ａ〜１２ｃ、ステッピングモータ、バックランプ、フォトセンサなどが組み込まれて構成されている。ステッピングモータ、バックランプ、フォトセンサ（いずれも図示は省略）は、第１〜第３リール１２ａ〜１２ｃのそれぞれに対応して設けられている。
【００２７】
ステッピングモータは、制御基板２５からの指示に応じて対応する第１〜第３リール１２ａ〜１２ｃを回転駆動する。バックランプは、当選役などに応じた所定の態様で表示窓１１ａから露呈する各図柄を個別に照明する。フォトセンサは、対応する第１〜第３リール１２ａ〜１２ｃの回転角を検知し、検知した回転角を制御基板２５に出力する。制御基板２５は、フォトセンサの検知結果に応じてステッピングモータを制御することにより、第１〜第３リール１２ａ〜１２ｃの停止制御を行う。
【００２８】
電源ボックス２７には、スロットマシン１０の電源のＯＮ／ＯＦＦを切り替えるための電源スイッチ３０が設けられている。電源ボックス２７は、電源スイッチ３０がＯＮになったことに応答してスロットマシン１０の各部に電力を供給し、スロットマシン１０を起動させるとともに、電源スイッチ３０がＯＦＦになったことに応答して電力の供給を止め、スロットマシン１０を停止させる。
【００２９】
また、電源ボックス２７には、エラーモードを解除するための解除スイッチ３１が設けられている。スロットマシン１０がエラーモードになった状態で解除スイッチ３１を押圧操作すると、エラーモードが解除され、遊技が可能な通常モードにスロットマシン１０が復帰する。なお、解除スイッチ３１の取り付け位置は、電源ボックス２７に限定されるものではない。但し、スロットマシン１０が通常モードからエラーモードに移行する契機には、メダル２９の投入を不正に行う不正器具の使用が検知された場合など、遊技者による不正行為の検知が含まれるため、解除スイッチ３１は、従業員以外の者が不正に操作できないよう、従業員しか触れることができない位置（例えば筺体１０ａの内部）に設けることが好ましい。
【００３０】
貯留タンク２８は、メダル投入口２０から投入された適正なメダル２９を貯留する。貯留タンク２８には、貯留したメダル２９を払い出すためのメダル出口２８ａが形成されている。また、貯留タンク２８の下方には、ホッパー装置３３が設けられている。ホッパー装置３３は、メダル２９の払い出しを行う際に駆動され、制御基板２５の制御の下、貯留タンク２８に貯留されたメダル２９を所定枚数だけメダル出口２８ａから送り出す。送り出されたメダル２９は、メダル払出口２２を介してメダル受け皿２３に払い出される。
【００３１】
前面扉１１の裏には、メダルセレクタ３４、メダル案内部材３５、払出しシュート３６が設けられている。メダルセレクタ３４は、メダル投入口２０と接続されるように配置され、メダル投入口２０から投入されたメダル２９を貯留タンク２８に貯留するものとメダル払出口２２から排出するものとに振り分けるとともに、貯留タンク２８に貯留するメダル２９の枚数をカウントし、そのカウント結果を制御基板２５に出力する。制御基板２５は、このカウント結果に応じてベット枚数もしくはクレジット枚数を加算する。
【００３２】
メダル案内部材３５は、メダルセレクタ３４が貯留タンク２８側に振り分けたメダル２９を受け、そのメダル２９を貯留タンク２８に案内する。払出しシュート３６は、メダルセレクタ３４がメダル払出口２２側に振り分けたメダル２９を受け、そのメダル２９をメダル払出口２２に案内してメダル払出口２２から排出させる。
【００３３】
また、払出しシュート３６には、開口３６ａが形成されている。この開口３６ａは、前面扉１１を閉じた際に、貯留タンク２８のメダル出口２８ａと対面するように位置が決められている。メダル出口２８ａから送り出されたメダル２９は、開口３６ａを介して払出しシュート３６内に入り込み、払出しシュート３６によって案内されることにより、メダル払出口２２から払い出される。
【００３４】
図３に示すように、メダルセレクタ３４は、本体基部４０、振分装置４１、通路シャッタ（移動部材）４２などから構成されている。本体基部４０は、略矩形の箱状に形成されている。この本体基部４０には、樹脂材料が用いられている。本体基部４０には、適正なメダル２９の直径よりも幅がやや広い溝からなる第１メダル通路４４が形成されている。メダルセレクタ３４が前面扉１１に取り付けられると、第１メダル通路４４のメダル入口４４ａはメダル投入口２０と連通するようになっており、メダル投入口２０から投入されたメダル２９はメダル入口４４ａから第１メダル通路４４内に進入する。
【００３５】
第１メダル通路４４は、略Ｌ字型に屈曲するように形成されている。これにより、メダル入口４４ａから第１メダル通路４４に進入したメダル２９は、第１メダル通路４４の屈曲部を通過すると、その進行方向が、メダル２９が第１メダル通路４４内に進入した方向（図中矢線Ａに示す方向）から、これと略直交した方向（図中矢線Ｂに示す方向）に変化する。また、第１メダル通路４４は、矢線Ａの方向に進む縦の部分よりも、矢線Ｂの方向に進む横の部分の方が長くなるように形成されている。
【００３６】
第１メダル通路４４は、メダル２９の周面と接触する接触底面４４ｂと、メダル２９の表面または裏面と接触する接触壁面４４ｄと、接触壁面４４ｄと対向した位置に配置され、メダル２９の表面または裏面の下部面と接触する接触壁面４４ｅとを有している。本体基部４０は、第１メダル通路４４に進入したメダル２９が接触壁面４４ｅの方向に自重を掛けて流下するように、図中矢線Ｃに示す方向にやや傾いて前面扉１１に取り付けられる。
【００３７】
第１メダル通路４４の屈曲部よりも下流側（図中矢線Ｂに示す方向にメダル２９が進行する部分）の上方には、振分装置取付部４０ｂが設けられている。振分装置取付部４０ｂは、本体基部４０に形成された略矩形状で凹状の溝からなり、この溝を取り囲む壁面のうちの第１メダル通路４４に臨む壁面は一部が開放されている。振分装置取付部４０ｂには、投入されたメダル２９の振り分けを行うための振分装置４１が設けられている。
【００３８】
振分装置４１は、本体基部４０に取り付けられる取り付け板４１ａ、取り付け板４１ａに図中矢線Ｄに示す方向に回動自在に取り付けられる回動板４１ｂ、この回動板４１ｂに励磁作用を与える電磁石７２（図７参照）及び回動板４１ｂを付勢する捩じりバネ（図示せず）から構成されている。
【００３９】
取り付け板４１ａ及び回動板４１ｂは、金属製の薄板で形成されている。取り付け板４１ａは、矩形状に形成されており、本体基部４０の振分装置取付部４０ｂの取付面４０ｃと直交して突出するように本体基部４０に取り付けられている。
【００４０】
回動板４１ｂは、略Ｔ字状に形成されており、一端部に形成された軸を介して取り付け板４１ａに回動自在に取り付けられている。そして、回動板４１ｂは、軸を中心に回動することにより、図中実線で示す通過位置と、図中二点鎖線で示す排出位置との間で移動する。通過位置にある回動板４１ｂは、取り付け板４１ａの突出方向と略直交し、振分装置取付部４０ｂの取付面４０ｃ、及び接触壁面４４ｄと対面するとともに、振分装置取付部４０ｂの前述した開放部分から回動板４１ｂの幅が広い部分であるメダル振り分け部４１ｃの一部を第１メダル通路４４内に進入させる。排出位置にある回動板４１ｂは、先端を本体基部４０の前面側に向けるように通過位置から回動し、メダル振り分け部４１ｃを第１メダル通路４４から抜け出させる。
【００４１】
捩じりバネは、回動板４１ｂを排出位置側に付勢する。回動板４１ｂは、電磁石７２の励磁作用が付与されていない場合、捩じりバネの付勢力によって排出位置に保持される。一方、回動板４１ｂは、電磁石７２の励磁作用が付与されると、電磁石７２に引き付けられ、捩じりバネの付勢力に抗して排出位置から通過位置に移動する。そして、励磁作用が付与されている間は、回動板４１ｂが通過位置に保持される。
【００４２】
回動板４１ｂが通過位置にある状態では、第１メダル通路４４内に進入したメダル振り分け部４１ｃの先端と接触底面４４ｂとの距離が、適正なメダル２９の直径よりも僅かに小さくなる。これにより、回動板４１ｂが通過位置にある場合、適正なメダル２９は、その径方向上部面（外周縁部の一部）がメダル振り分け部４１ｃによって支持され、振分装置４１よりも下流側に流下する。一方、適正なメダル２９よりも径が小さい不正なメダル２９は、メダル振り分け部４１ｃによる支持が得られず、本体基部４０の前面側（矢線Ｃで示す方向）に落下する。また、適正なメダル２９の直径よりも幅がやや広い程度に第１メダル通路４４が形成されているので、適正なメダル２９よりも径が大きい不正なメダル２９は、そもそもメダル入口４４ａに入らない。
【００４３】
回動板４１ｂが排出位置にある場合には、メダル振り分け部４１ｃが第１メダル通路４４から抜け出ているので、適正、不正に関わらず投入された全てのメダル２９が本体基部４０の前面側に落下する。振分装置４１は、メダル２９の投入が受け付けられない状態のときに回動板４１ｂを排出位置に移動させる。このように、振分装置４１は、メダル振り分け部４１ｃによって適正なメダル２９と不正なメダル２９との振り分けを行うとともに、回動板４１ｂを各位置に移動させることによって、メダル２９の投入が受け付けられない状態のときに適正なメダル２９が貯留タンク２８に貯留されてしまうことを防止する。
【００４４】
ここで、メダル２９の投入が受け付けられない状態とは、例えば、クレジットされたメダル２９の枚数が上限枚数である５０枚に達している場合、遊技を行っている最中（スタートレバー１８を操作して第１〜第３リール１２ａ〜１２ｃが回転してから、全ての第１〜第３リール１２ａ〜１２ｃが停止されるまでの状態）、精算ボタン１９の操作に応答してベットされたメダル２９及びクレジットされたメダル２９を払い出す精算処理を行っている場合、スロットマシン１０がエラーモードになっている場合などである。
【００４５】
本体基部４０の前面には、通路カバー３８が取り付けられている（図２参照）。通路カバー３８には、回動板４１ｂと対面する箇所に切り欠き３８ａが形成されている。振分装置４１の振り分けによって第１メダル通路４４から落下したメダル２９は、通路カバー３８の切り欠き３８ａを介して払出しシュート３６内に入り込み、払出しシュート３６に案内されてメダル払出口２２に排出される。このように通路カバー３８は、振分装置４１が落下させたメダル２９を払出しシュート３６に入り込ませるとともに、第１メダル通路４４の開放された前面を覆い、振分装置４１に対応する箇所以外の部分でメダル２９が第１メダル通路４４から脱落することを防止する。
【００４６】
接触壁面４４ｄの振分装置４１よりも下流側の位置には、接触壁面４４ｄと略直交する方向に移動自在に設けられ、第１メダル通路４４内に進入してメダル２９の流下を阻止する阻止位置（図３、４参照）と、第１メダル通路４４から退避してメダル２９の流下を許容する退避位置（図５参照）との間で移動する通路シャッタ４２が配置されている。
【００４７】
通路シャッタ４２は、第１メダル通路４４の幅よりも僅かに狭い程度の幅を有する略矩形の平板に形成されている。また、通路シャッタ４２は、最も面積の大きい側面４２ａが第１メダル通路４４の上流側を向き、かつ矢線Ｂで示すメダル２９の流下方向と略直交するように設けられている。これにより、通路シャッタ４２が阻止位置にある場合には、側面４２ａによって第１メダル通路４４が塞がれ、上流側から流下してくるメダル２９が側面４２ａに当接するので、通路シャッタ４２よりも下流にメダル２９が流下することが阻止される。
【００４８】
接触壁面４４ｄには、通路シャッタ４２の各位置への移動を許容するための貫通孔４４ｃが形成されている。貫通孔４４ｃは、通路シャッタ４２の先端面４２ｂよりも一回り大きい矩形に形成されている。通路シャッタ４２は、この貫通孔４４ｃに挿通されることにより、第１メダル通路４４内に進入した阻止位置と、第１メダル通路４４から退避した退避位置との間で移動する。
【００４９】
図４、図５に示すように、本体基部４０の背面側には、ソレノイド４６が設けられている。通路シャッタ４２は、このソレノイド４６の可動鉄心４６ａの先端に取り付けられている。ソレノイド４６は、可動鉄心４６ａを突出／収納させることにより、通路シャッタ４２を各位置へ移動させる。通路シャッタ４２は、ソレノイド４６が可動鉄心４６ａを突出させることによって阻止位置に移動し、ソレノイド４６が可動鉄心４６ａを収納させることによって退避位置に移動する。
【００５０】
なお、ソレノイド４６は、本体基部４０に固定してもよいし、前面扉１１に固定してもよい。また、通路シャッタ４２を各位置に移動させる機構は、ソレノイド４６に限らず、モータやギアなどからなる機構を用いてもよい。
【００５１】
通路カバー３８には、貫通孔４４ｃと対面する位置に、貫通孔４４ｃと略同一の形状に形成された貫通孔３８ｂが設けられている。通路シャッタ４２は、接触壁面４４ｄから通路カバー３８の外面３８ｃまでの距離よりも長く形成されている。これにより、通路シャッタ４２は、阻止位置にある場合、第１メダル通路４４を塞ぐとともに、貫通孔３８ｂに入り込んで通路カバー３８を貫通し、先端面４２ｂを通路カバー３８の外側に露呈させる。また、通路シャッタ４２及びソレノイド４６は、阻止位置に移動した際には通路シャッタ４２が通路カバー３８を貫通し、退避位置に移動した際には先端面４２ｂと接触壁面４４ｄとが略面一になるように、長さや移動量が決められて構成されている。
【００５２】
通路シャッタ４２の側面４２ａには、接触センサ（第１検知手段）４８が設けられている。接触センサ４８は、阻止位置にある通路シャッタ４２によって流下が阻止されたメダル２９と接触するように配置されており、接触によって流下が阻止されたメダル２９を検知する。
【００５３】
図６に示すように、メダルセレクタ３４には、流下するメダル２９を検知するための第１及び第２の２つのメダル検知部５０、５２が設けられている。各メダル検知部５０、５２は、矢線Ｂで示すメダル２９の流下方向に並べられている。第１メダル検知部５０は、いわゆる反射型の光学センサであり、第１発光部（第２検知手段）５３、第１反射板５４、第１受光部５５で構成されている。第２メダル検知部５２は、第１メダル検知部５０と同様の反射型の光学センサであり、第２発光部（第２検知手段）５６、第２反射板５７、第２受光部５８で構成されている。
【００５４】
各発光部５３、５６は、通路シャッタ４２の先端面４２ｂの上端付近に設けられている。各受光部５５、５８は、通路シャッタ４２が退避位置にある際に、対応する各発光部５３、５６の上方に位置するように、接触壁面４４ｄに設けられている。各反射板５４、５７は、第１メダル通路４４の一部を構成する仕切り板６０の先端に設けられている。
【００５５】
仕切り板６０は、接触壁面４４ｄから略垂直に突出するように形成されている。そして、仕切り板６０の先端下面側には、接触壁面４４ｄと向かい合うとともに、接触壁面４４ｄに対して所定の角度傾斜した傾斜面６０ａが形成されている。各反射板５４、５７は、第１メダル通路４４を挟んで対応する各受光部５５、５８と対面するように、傾斜面６０ａに取り付けられている。
【００５６】
各発光部５３、５６は、通路シャッタ４２が退避位置にある状態のときに、対応する各反射板５４、５７と対面し、各反射板５４、５７に向けてメダル２９を検知するための検知光を照射する。各発光部５３、５６から照射された検知光は、第１メダル通路４４を横切って各反射板５４、５７に入射する。各反射板５４、５７は、各発光部５３、５６からの検知光を反射させ、再び第１メダル通路４４を横切らせて各受光部５５、５８に入射させる。このように、各発光部５３、５６から照射された検知光が、第１メダル通路４４を往復するようにして各受光部５５、５８に受光されることにより、各メダル検知部５０、５２がメダル２９を検知可能な状態になる。
【００５７】
通路シャッタ４２が退避位置にある状態でメダル２９が第１メダル通路４４を流下すると、メダル２９によって各メダル検知部５０、５２の検知光が遮られる（図５参照）。各メダル検知部５０、５２は、このように検知光が遮られたことを各受光部５５、５８の受光状態から確認することにより、メダル２９の流下を検知する。また、各メダル検知部５０、５２は、流下するメダル２９の上端付近で検知光が遮られるように各部が配置されている。こうすれば、２枚のメダル２９が連なって流下してきた際にも、各メダル２９の上部に空く隙間によって検知光が遮られた状態が一度解除されるので、各メダル２９を正確に検知することができる。
【００５８】
さらに、各メダル検知部５０、５２は、流下方向に並べて配置されているので、第１メダル通路４４を正常にメダル２９が流下した場合には、第１メダル検知部５０がメダル２９を検知した後、一定時間経過してから第２メダル検知部５２がメダル２９を検知する。これにより、各メダル検知部５０、５２のメダル２９の検知の順序、及び間隔を確認することで、メダルセレクタ３４内の異常を検知することができる。
【００５９】
例えば、第２メダル検知部５２が先に検知を行った場合には、第１メダル通路４４内を逆方向に進む物体（メダル２９、不正器具など）があると判断することができる。また、第１メダル検知部５０が検知を行った後、一定時間経過しても第２メダル検知部５２が検知を行わなかった場合には、不正器具などの異物がメダルセレクタ３４内に挿入されたと判断することができる。このように、各メダル検知部５０、５２では、メダル２９の流下を検知することができるとともに、メダルセレクタ３４内の異常を検知することもできる。なお、流下方向に並べて配置された各メダル検知部５０、５２による異常の検知方法は、例えば特開２００５−３１２８２０号公報などに詳細に説明されているので、本明細書では、その説明を省略する。
【００６０】
各発光部５３、５６は、通路シャッタ４２の先端面４２ｂに設けられているため、通路シャッタ４２が退避位置から阻止位置に移動すると、これにともなって各発光部５３、５６も接触壁面４４ｄと略直交する方向に移動する。従って、通路シャッタ４２が阻止位置に移動すると、各発光部５３、５６からの検知光が各反射板５４、５７に入射しなくなり（図４参照）、各メダル検知部５０、５２がメダル２９を検知不可能な状態になる。
【００６１】
図３に戻って、メダル案内部材３５には、断面略コの字型の溝状に形成された第２メダル通路６４が設けられている。メダル案内部材３５は、メダルセレクタ３４に隣接して配置され、第２メダル通路６４を第１メダル通路４４に連通させている。これにより、第１メダル通路４４を流下したメダル２９は、第２メダル通路６４に進入する。
【００６２】
第２メダル通路６４は、矢線Ｂ方向に流下するメダル２９をスロットマシン１０の背面側に向かう方向（矢線Ｅで示す方向）に進行方向を変更するように、湾曲した形状に形成されるとともに、メダル２９が流下しやすいよう、第１メダル通路４４に連通された端部から反対側の端部であるメダル出口６４ａに向かって下方に傾斜して形成されている。また、メダル案内部材３５は、前面扉１１を閉じた際に、第２メダル通路６４のメダル出口６４ａが貯留タンク２８の上方に位置するように、長さが設定されている。これにより、第２メダル通路６４を流下したメダル２９が貯留タンク２８に案内され、貯留タンク２８に貯留される。
【００６３】
図７に示すように、制御基板２５には、制御回路（計数制御手段、駆動制御手段）７０が設けられている。制御回路７０は、各種のプログラムやデータを記憶したメモリや、このメモリに記憶されたプログラムを読み出して各種の処理を実行するＣＰＵなどを備えており、これらによってスロットマシン１０を制御するための様々な回路が構成されている。制御回路７０には、リール駆動コントローラ７１が接続されている。リール駆動コントローラ７１は、制御回路７０からの指示に応じて第１〜第３リール１２ａ〜１２ｃの回転を制御する。
【００６４】
また、制御回路７０には、クレジット枚数表示部１３、エラー表示部１４、ソレノイド４６、電磁石７２、第１受光部５５、第２受光部５８が接続されている。クレジット枚数表示部１３、エラー表示部１４、ソレノイド４６、電磁石７２の動作は、制御回路７０によって制御される。
【００６５】
各受光部５５、５８は、検知光の受光状態を制御回路７０に出力する。これにより、各メダル検知部５０、５２のメダル２９の検知結果が制御回路７０に入力される。制御回路７０は、各メダル検知部５０、５２の検知に基づいて投入されたメダル２９の枚数を計数し、入賞有効ラインの有効化やクレジット枚数の加算を行う。また、前述のように、通路シャッタ４２が阻止位置にある場合には、各メダル検知部５０、５２がメダル２９を検知不可能な状態になる。このため、制御回路７０は、ソレノイド４６を制御して通路シャッタ４２を阻止位置に移動させた場合には、各メダル検知部５０、５２の検知を無効にする。
【００６６】
制御回路７０には、さらにスタート信号センサ７３、第１ストップ信号センサ７４ａ、第２ストップ信号センサ７４ｂ、第３ストップ信号センサ７４ｃ、解除信号センサ７５、及び接触センサ４８などの各種のセンサが接続されている。スタート信号センサ７３は、スタートレバー１８の押下操作を検知し、この検知に応答して遊技スタート信号を制御回路７０に入力する。制御回路７０は、スタート信号センサ７３から遊技スタート信号が入力されると、リール駆動コントローラ７１に第１〜第３リール１２ａ〜１２ｃの回転を指示し、図柄列の変動表示を開始させる。
【００６７】
第１〜第３ストップ信号センサ７４ａ〜７４ｃは、第１〜第３ストップボタン１７ａ〜１７ｃの押圧操作を検知し、この検知に応答して第１〜第３リール１２ａ〜１２ｃの停止を指示するストップ信号を制御回路７０に入力する。制御回路７０は、ストップ信号が入力されたときに第１〜第３リール１２ａ〜１２ｃが回転中であるか否かを判定する。そして、制御回路７０は、第１〜第３リール１２ａ〜１２ｃが回転中である場合には、リール駆動コントローラ７１を制御し、押圧操作された第１〜第３ストップボタン１７ａ〜１７ｃに対応する第１〜第３リール１２ａ〜１２ｃの停止制御を行う。
【００６８】
解除信号センサ７５は、解除スイッチ３１の押圧操作を検知し、この検知に応答してエラーモードの解除を指示する解除信号を制御回路７０に入力する。制御回路７０は、解除信号の入力に応答してスロットマシン１０がエラーモードになっているか否かを判定する。そして、制御回路７０は、エラーモードになっていると判定すると、スロットマシン１０のモードをエラーモードから通常モードに復帰させる。接触センサ４８は、前述のように、阻止位置にある通路シャッタ４２によって流下が阻止されたメダル２９を検知し、この検知結果を制御回路７０に入力する。
【００６９】
制御回路７０は、ソレノイド４６を制御し、通常は通路シャッタ４２を阻止位置にさせておく。これにより、メダル投入口２０から投入された適正なメダル２９は、通路シャッタ４２によって一度流下が阻止され、阻止されたメダル２９が接触センサ４８によって検知される。制御回路７０は、接触センサ４８の検知に応答して通路シャッタ４２を阻止位置から退避位置に移動させる。通路シャッタ４２が退避位置に移動すると、メダル２９の流下が許容され、通路シャッタ４２に阻止されて停止していたメダル２９が再び流下を始める。このメダル２９が通路シャッタ４２の先端面４２ｂの前を通過して検知光を遮ると、各メダル検知部５０、５２によって流下したメダル２９が検知される。
【００７０】
制御回路７０は、各メダル検知部５０、５２が１枚のメダル２９の流下を検知したことに応答して、そのメダル２９の計数を行うとともに、ソレノイド４６を制御し、通路シャッタ４２を退避位置から阻止位置に復帰させる。このように、制御回路７０は、接触センサ４８が１回検知を行う毎に１枚だけメダル２９を通過させるように通路シャッタ４２の各位置への移動を制御する。また、制御回路７０は、メダル２９を計数すると、これに応答して入賞有効ラインを有効化する処理、あるいはクレジット枚数を加算する処理を実行する。
【００７１】
制御回路７０には、当選役抽選部８０、タイマ８１、不正判定部８２が設けられている。当選役抽選部８０は、スタート信号センサ７３からの遊技スタート信号の入力に応答して起動し、図示を省略した乱数発生器から乱数値を取得する。そして、取得した乱数値に基づいて当選役抽選を行い、当選役としてのＢＢ（ビックボーナス）、小役、リプレイのいずれか又はハズレを決定する。
【００７２】
ＢＢ図柄が入賞有効ライン上に揃った状態で停止し、ＢＢに入賞すると、通常モードからＢＢモード（有利モード）に移行する処理が行われる。小役に入賞すると、規定枚数のメダル２９がメダル払出口２２からメダル受け皿２３に払い出される。リプレイに入賞すると、次遊技をメダル２９の投入なしに行うことができる。
【００７３】
ＢＢモードでは、通常モードで３枚であるメダル２９の投入枚数が２枚になり、小役の当選確率が通常モードよりも高くなるとともに、小役に入賞したときのメダル２９の払い出し枚数も増加する。このため、ＢＢモードでは、通常モードよりもペイアウト率（投入したメダル２９の枚数に対する払い出されるメダル２９の枚数の割合）が高くなり、遊技者にとって有利になる。
【００７４】
制御回路７０は、遊技スタート信号の入力に応答して当選役抽選を行った後、第１〜第３リール１２ａ〜１２ｃを回転させて図柄列の変動表示を開始し、第１〜第３ストップ信号センサ７４ａ〜７４ｃからストップ信号が入力されたことに応答して第１〜第３リール１２ａ〜１２ｃの停止制御を行う。そして、制御回路７０は、第１〜第３リール１２ａ〜１２ｃの全てを停止させると、入賞有効ライン上に停止した第１〜第３リール１２ａ〜１２ｃの図柄の組み合わせによって、当選役に入賞したか否かを判定する。制御回路７０は、当選役に入賞したと判定すると、ＢＢモードへの移行やメダル２９の払い出しなどといった、その当選役に対応した処理を行い、１回の遊技を終了させる。
【００７５】
タイマ８１は、制御回路７０が通路シャッタ４２を退避位置に移動させたことに応答して計時を開始し、各メダル検知部５０、５２が１枚のメダル２９の流下を検知したことに応答して計時を終了することにより、通路シャッタ４２が退避位置に移動してから各メダル検知部５０、５２がメダル２９の流下を検知するまでの時間を計時する。
【００７６】
不正判定部８２は、タイマ８１の計時結果を基に、不正器具を用いた不正が行われたか否かの判定を行う。不正判定部８２には、通路シャッタ４２が退避位置に移動してから各メダル検知部５０、５２がメダル２９の流下を検知するまでの時間の基準時間が記憶されている。ここで、基準時間とは、例えば、通路シャッタ４２が退避位置に移動してから各メダル検知部５０、５２がメダル２９の流下を検知するまでの平均時間に誤差分を含めた時間（すなわち、平均時間よりも僅かに長い時間）である。不正判定部８２は、タイマ８１の計時が終了すると、その計時結果と基準時間とを比較する。そして、計時結果が基準時間以上である場合に不正器具を用いた不正が行われたと判定する。
【００７７】
通路シャッタ４２が退避位置に移動してメダル２９が流下を開始し、そのメダル２９が各メダル検知部５０、５２によって検知された場合、タイマ８１の計時結果は、必ず基準時間よりも短くなる。これに対し、不正器具を用いた場合には、通路シャッタ４２が退避位置に移動した後に動かして位置合わせを行わなければならないため、各メダル検知部５０、５２に検知されるまでの時間が基準時間よりも長くなる可能性がある。従って、上記のようにタイマ８１の計時結果と基準時間とを比較することで、不正器具を用いた不正が行われたか否か判定することができる。また、タイマ８１のカウント値は、不正判定部８２の判定が終了した後にクリアされる。
【００７８】
制御回路７０は、不正器具を用いた不正が行われたと不正判定部８２が判定すると、スロットマシン１０をエラーモードに移行させ、スピーカ２４から警告音を発するとともに、対応するエラーコードをエラー表示部１４に表示させて、不正器具を用いた不正が行われたことを報知する。
【００７９】
次に、上記構成によるスロットマシン１０の作用について説明する。メダルセレクタ３４の通路シャッタ４２は、通常、阻止位置に保持されている。振分装置４１の回動板４１ｂが通過位置にある適正なタイミングでメダル投入口２０にメダル２９を投入すると、第１メダル通路４４を流下したメダル２９が阻止位置にある通路シャッタ４２の側面４２ａと接触し、通路シャッタ４２によって一度流下が阻止される。側面４２ａにメダル２９が接触すると、この接触が接触センサ４８によって検知される。接触センサ４８がメダル２９を検知すると、通路シャッタ４２が阻止位置から退避位置に移動するとともに、タイマ８１の計時が開始される。
【００８０】
通路シャッタ４２が退避位置に移動すると、メダル２９が再び流下を始める。このメダル２９が通路シャッタ４２の先端面４２ｂの前を通過し、各メダル検知部５０、５２によって流下が検知されると、通路シャッタ４２が退避位置から阻止位置に復帰するとともに、タイマ８１の計時が終了する。タイマ８１の計時が終了すると、その計時結果が基準時間以上であるか否かの判定が不正判定部８２によって行われる。この判定の後、タイマ８１のカウント値がクリアされる。
【００８１】
不正判定部８２が基準時間以下と判定すると、制御回路７０がメダル２９を計数し、これに応答して入賞有効ラインを有効化する処理、あるいはクレジット枚数を加算する処理が実行される。一方、不正判定部８２が基準時間以上と判定すると、スロットマシン１０がエラーモードに移行し、スピーカ２４から警告音が発せられるとともに、エラーコードがエラー表示部１４に表示され、不正器具を用いた不正が行われたことが報知される。これにより、不正器具を用いた不正が防止される。エラーモードは、解除スイッチ３１の押圧操作に応答して解除され、スロットマシン１０が通常モードに復帰する。
【００８２】
また、不正器具を用いた際、図８に示すように、各メダル検知部５０、５２が検知した後にも不正器具Ｋの発光部分を各メダル検知部５０、５２に対面させるようにして第１メダル通路４４内に挿入した状態のままにしておくと、阻止位置に復帰した通路シャッタ４２の先端面４２ｂと、この先端面４２ｂと対面する通路カバー３８の内面３８ｄとの間に不正器具Ｋが挟まり、不正器具Ｋが第１メダル通路４４から引き抜けなくなる。
【００８３】
この際、第１メダル通路４４を略Ｌ字型に形成し、この第１メダル通路４４の屈曲部よりも下流側に通路シャッタ４２を配置したので、通路シャッタ４２の側面４２ａと略直交する方向（矢線Ｂ方向）、すなわち通路カバー３８と通路シャッタ４２との間から引き抜く方向に不正器具Ｋを真っ直ぐ引っ張ることができない。このように、第１メダル通路４４の屈曲部よりも下流側に通路シャッタ４２を配置すれば、引き抜く方向に力が正確に伝わらなくなるので、不正器具Ｋを引き抜けなくする効果をより高めることができる。
【００８４】
また、通路カバー３８に貫通孔３８ｂを形成し、阻止位置に移動した通路シャッタ４２が通路カバー３８を貫通するようにしたので、通路シャッタ４２と通路カバー３８との間に不正器具Ｋが挟まった場合には、不正器具Ｋが貫通孔３８ｂ内に僅かに食い込むようになる。このように、不正器具Ｋが貫通孔３８ｂ内に食い込むと、通路カバー３８と通路シャッタ４２との間から引き抜くのにより強い力が必要となるので、不正器具Ｋを引き抜けなくする効果をさらに高めることができる。
【００８５】
また、各メダル検知部５０、５２は、通路シャッタ４２が退避位置にある場合にのみ各発光部５３、５６からの検知光が各受光部５５、５８に入射するように構成されている。このため、通路カバー３８と通路シャッタ４２との間に不正器具Ｋが挟まった状態では、不正器具Ｋから照射された光が各受光部５５、５８に入射することがない。さらに、仮に入射したとしても、通路シャッタ４２を阻止位置に移動させた場合には、制御回路７０が各メダル検知部５０、５２の検知を無効にする。従って、通路カバー３８と通路シャッタ４２との間に不正器具Ｋが挟まった状態では、不正器具Ｋが照射した光を各メダル検知部５０、５２が検知し、不正にメダル２９が投入されてしまうことがない。
【００８６】
このように、本実施形態のスロットマシン１０によれば、不正器具Ｋの挿入に掛かった時間が基準時間以上の場合には、不正と判定され、スロットマシン１０がエラーモードに移行するとともに、基準時間以下で挿入できた場合にも、各メダル検知部５０、５２が検知した後、不正器具Ｋを第１メダル通路４４内に挿入した状態のままにしておくと、通路カバー３８と通路シャッタ４２との間に不正器具Ｋが挟まり、不正器具Ｋが第１メダル通路４４から引き抜けなくなる。そして、通路カバー３８と通路シャッタ４２との間に不正器具Ｋが挟まった状態では、各メダル検知部５０、５２を誤作動させてメダル２９を不正に投入することができないので、不正器具Ｋを用いて不正にメダル２９を投入するゴト行為を確実に防止することができる。
【００８７】
なお、各メダル検知部５０、５２が検知した後、通路シャッタ４２が阻止位置に復帰する前に不正器具Ｋを引き抜けば、不正判定部８２に不正と判定されることも、通路カバー３８と通路シャッタ４２との間に挟まることもない。しかしながら、不正判定部８２が不正と判定しないタイミングで各メダル検知部５０、５２との位置合わせを手探りで行いつつ、各メダル検知部５０、５２が検知したら即座に引き抜くことは、極めて困難である。また、このように抜き差しを繰り返しながらメダル２９のベット及びクレジットを行う行動は、非常に目立ち、遊技場の従業員などに発見されやすい。従って、本実施形態のスロットマシン１０に対して不正器具Ｋを用いることは、実質的に不可能である。
【００８８】
ところで、メダル投入口２０には、複数枚のメダル２９が連続的に投入される場合がある。こうした場合、各メダル２９は、阻止位置にある通路シャッタ４２によって流下が阻止され、それぞれ連なった状態で停止する。そして、通路シャッタ４２が退避位置に移動したことに応答して連なった状態のまま流下を開始する。この際、上記実施形態で示すように、通路シャッタ４２が平板状に形成されていると、阻止位置に復帰する際に、通路シャッタ４２と通路カバー３８の内面３８ｄとの間に２枚目のメダル２９が挟まり、この２枚目のメダル２９が正常に計数されなくなってしまうことが懸念される。
【００８９】
そこで、図９に示すように、略角棒状に形成された通路シャッタ９０を用い、第１メダル通路４４を流下するメダル２９の中心よりも上方に、この通路シャッタ９０を配置することが好ましい。こうすれば、２枚のメダル２９が連なって投入された際にも、各メダル２９の上部に空く隙間部分に通路シャッタ９０が入り込むようになるので、阻止位置に復帰する通路シャッタ９０と通路カバー３８の内面３８ｄとの間に２枚目のメダル２９が挟まることを防ぐことができる。
【００９０】
また、投入されたメダル２９を１枚ずつ送り出す送り出し機構を通路シャッタ４２、９０の上流側に設け、２枚のメダル２９が連なった状態で通路シャッタ４２、９０に向かうことを防ぐようにしてもよい。
【００９１】
上記実施形態では、通路カバー３８に貫通孔３８ｂを形成し、通路シャッタ４２が通路カバー３８を貫通するようにしたが、これに限ることなく、通路シャッタ４２の先端面４２ｂを通路カバー３８の内面３８ｄに当接させるようにしてもよいし、内面３８ｄの直前で停止させるようにしてもよい。
【００９２】
上記実施形態では、タイマ８１の計時結果と基準時間とを比較し、計時結果が基準時間以上である場合に不正器具を用いた不正が行われたと判定するようにしたが、不正器具を用いた場合には、通路シャッタ４２の退避位置への移動と同時に不正器具を強く押し込むことで、各メダル検知部５０、５２に検知されるまでの時間が基準時間より短くなることも考えられる。そこで、例えば、通路シャッタ４２が退避位置に移動してから各メダル検知部５０、５２がメダル２９の流下を検知するまでの平均時間に正負の誤差を加えた所定の範囲に、タイマ８１の計時結果が入っているか否かを判定することにより、検知されるまでの時間が長い場合と短い場合との双方で不正器具を用いた不正が行われたと判定するようにしてもよい。
【００９３】
上記実施形態では、第１検知手段として接触センサ４８を示したが、第１検知手段は、これに限ることなく、例えば、機械式のスイッチや近接センサなどを用いてもよい。また、上記実施形態では、第１発光部５３、第２発光部５６を通路シャッタ４２の先端面４２ｂに設け、これらを第２検知手段として示したが、これとは反対に、第１受光部５５、第２受光部５８を通路シャッタ４２の先端面４２ｂに設け、これらを第２検知手段としてもよい。また、反射型の光学センサを構成するものに限らず、透過型の光学センサを構成する発光部や受光部を第２検知手段としてもよい。さらには、機械式のスイッチ、近接センサ、磁気センサなどといった周知のスイッチやセンサを第２検知手段として用いてもよい。
【００９４】
上記実施形態では、スロットマシン１０に本発明を適用した例を示したが、本発明は、これに限ることなく、例えば、メダルの枚数を計数するメダルカウンタやメダルを用いるゲーム機などに適用してもよい。
【符号の説明】
【００９５】
１０  スロットマシン（メダル計数装置）
３４  メダルセレクタ
４２  通路シャッタ（移動部材）
４４  第１メダル通路
４８  接触センサ（第１検知手段）
５０  第１メダル検知部
５２  第２メダル検知部
５３  第１発光部（第２検知手段）
５４  第１反射板
５５  第１受光部
５６  第２発光部（第２検知手段）
５７  第２反射板
５８  第２受光部
７０  制御回路（計数制御手段、駆動制御手段）
８１  タイマ
８２  不正判定部
【図１】
2010207426.tif 000003
【図２】
2010207426.tif 000004
【図３】
2010207426.tif 000005
【図４】
2010207426.tif 000006
【図５】
2010207426.tif 000007
【図６】
2010207426.tif 000008
【図７】
2010207426.tif 000009
【図８】
2010207426.tif 000010
【図９】
2010207426.tif 000011